(57)【要約】【課題】新規な皮膚手入れ機能を備えたパッティング装置を提供すること。【解決手段】パッティング装置は、使用者の皮膚に当ててパッティングを行うパッド１９と、往復運動を行うようにパッドを駆動するソレノイド１８と、指定された強度および方向でソレノイドを駆動する手段および、利用者からの指示に基づきソレノイド駆動手段を制御する手段１７とを備える。この装置によって、所望の強さおよび速さで容易に所望の部分のみを必要な時間だけパッティングすることが可能となる。【選択図】      図１
2005065718.tif 000002
【特許請求の範囲】
【請求項１】
使用者の皮膚に当ててパッティングを行うパッドと、
往復運動を行うようにパッドを駆動するソレノイドと、
指定された強度および方向でソレノイドを駆動するソレノイド駆動手段と、
利用者からの指示に基づきソレノイド駆動手段を制御する制御手段と
を備えたことを特徴とするパッティング装置。
【請求項２】
前記制御手段は、前記パッドが皮膚から後退する時は前記ソレノイド駆動手段を弱に制御することを特徴とする請求項１に記載のパッティング装置。
【請求項３】
前記パッドの周囲に、静止時にパッドの先端がわずかに突出する程度の高さのカバーを設けたことを特徴とする請求項１に記載のパッティング装置。
【発明の詳細な説明】
【０００１】
【発明の属する技術分野】
本発明は皮膚の手入れを行うパッティング装置に関し、特に強さや速さを調節可能なパッティング装置に関するものである。
【０００２】
【従来の技術】
従来、皮膚の手入れ装置として、いわゆる美顔器と称される皮膚手入れ装置が各種提案されている。例えば、特開２００１−１６１４３８号公報には吸引を行う美顔器が、また、特開２００１−１９０５８６号公報には加熱と冷却を行う美顔器が記載されている。
【０００３】
【発明が解決しようとする課題】
皮膚をたたく動作を繰り返すパッティングは、皮膚や皮膚の下の筋肉に刺激を与え、血行を良くしたり筋肉を鍛えるマッサージ効果があるが、上記した従来の皮膚の手入れ装置の機能には皮膚をたたく動作を繰り返すパッティングを行う機能が存在せず、手でたたく場合には皮膚の所望の部分のみをうまくたたくことが困難である、あるいは長時間行うと腕が疲れるなどの問題点があった。
本発明の目的は、前記のような従来技術の問題点を解決し、新規な機能を備えたパッティング装置を提供することにある。
【０００４】
【課題を解決するための手段】
本発明のパッティング装置は、使用者の皮膚に当ててパッティングを行うパッドと、往復運動を行うようにパッドを駆動するソレノイドと、指定された強度および方向でソレノイドを駆動するソレノイド駆動手段と、利用者からの指示に基づきソレノイド駆動手段を制御する制御手段とを備えたことを特徴とする。
本発明のパッティング装置は、上記のような構成によって、所望の強さおよび速さで容易に所望の部分のみを必要な時間だけパッティングすることが可能となる。
【０００５】
【発明の実施の形態】
以下、本発明の実施の形態を詳細に説明する。図１は、本発明のパッティング装置の構成を示すブロック図である。パッティング装置は親機１０とパッティング子機１６からなる。親機１０は本発明のパッティング装置の制御手段として使用される他、パッティング子機以外の子機、例えば吸引子機、テスラー管子機、温熱面と冷却面を備えた温冷子機などに共通に使用できるように設計されている。更に、親機自体がスチーム発生手段を備えていてもよい。
【０００６】
親機１０には使用者が子機１６の動作を指定、確認するためのパネル１２が備えられている。パネル１２には子機選択スイッチ１３、強さ選択スイッチ、速さ選択スイッチ、および表示用のＬＥＤ（発光ダイオード）１４が備えられており、例えば使用者が子機選択スイッチ１３を１回押下する度に、選択される子機が１つ右に移動し、最右端の子機の次には最左端の子機が選択されるようになっている。強さ、速さについても使用者による同様の操作によって所望の動作を選択可能である。
【０００７】
親機１０の制御回路１１は、パネル１３から入力された操作情報に基づき内部状態を更新し、この内部状態に基づいて表示を更新すると共に、コード１５を介して子機１６に対して制御信号を送出する。このコード１５は、電源線（＋７Ｖ）、接地線および信号線の３本の電線を備えている。
【０００８】
図２は、信号線上の波形を示す波形図である。信号はパルス幅変調された長さＴ２（例えば８ミリ秒）の８ビットのパルス信号列からなり、所定の周期Ｔ１（例えば１６ミリ秒）で繰り返し伝送される。各パルスの間隔Ｔ４は例えば１ミリ秒であり、”０”を表すパルスのパルス幅Ｔ５は例えば２５０マイクロ秒であり、”１”を表すパルスのパルス幅Ｔ６は例えば７５０マイクロ秒である。
【０００９】
情報の内容は、例えば先頭からビット１、２は特定子機専用の制御ビット、ビット３、４は子機選択ビットであり、実施例ではパッティング子機１６は１１で選択される。ビット５、６は強さ制御ビット（００：弱、０１：中、１０：強）、ビット７、８は速さ制御ビット（００：低、０１：中、１０：高）である。
【００１０】
図３は、本発明のパッティング装置のパッティング子機１６の構成を示すブロック図である。パッティング子機１６は、ケーブル１５と接続されるコネクタ２０、ソレノイド用電源回路２１、ソレノイド駆動回路２２、ソレノイド（電磁石）１８、信号受信、制御回路２３、速さ制御回路２４、回路用電源回路２５を備えている。
【００１１】
図４は、ソレノイド用電源回路２１の構成を示す回路図である。この回路は、出力のオン／オフおよび出力電圧の３段階の変化が可能な直列型のスイッチングレギュレータ回路である。レギュレータ制御ＩＣ３１のオン／オフ制御端子３９に外部から信号ａを入力するより、出力のオン／オフが可能である。
【００１２】
また、レギュレータ制御ＩＣ３１は制御電圧入力端子３８の電圧が所定の値になるようにスイッチング用のトランジスタ３０を制御する。そして、分圧抵抗３２〜３５およびアナログスイッチＩＣ３６、３７によりレギュレータ制御ＩＣ３１の制御電圧入力端子３８に印加する電圧の分圧比を３段階に変更可能であり、この変更に基づいて出力端子の電圧が３段階に切り替わる。
【００１３】
例えばアナログスイッチ３６をオン（ｂ＝１）した場合には出力電圧（ｈ）は最も高くなり、アナログスイッチ３７のみをオン（ｂ＝０，ｃ＝１）した場合には出力電圧は中位となり、アナログスイッチ３６、３７双方がオフ（ｂ＝ｃ＝０）の場合には出力電圧は最も低くなる。
【００１４】
図５は、ソレノイド駆動回路２２の構成を示す回路図である。この回路は外部からの制御信号ｆ、ｇにより、ソレノイド１８に印加するソレノイド用電源回路２１の出力電圧の極性を制御するブリッジ型のスイッチ回路である。速さ制御回路２４からの制御信号ｆ、ｇによって、トランジスタ６０、６４、６５、あるいはトランジスタ６１、６２、６３のいずれか一方の組みがオンとなり、ソレノイド１８を突出方向あるいは引き込む方向に駆動する。
【００１５】
図６は、速さ制御回路２４の構成を示す回路図である。発振回路ＩＣ４０としてはＮＥ５５５など周知のワンショットマルチバイブレータＩＣを使用可能である。このＩＣは外付けの抵抗値を変えることによって発振周波数を変更可能である。２つのアナログスイッチＩＣ４５、４６がそれぞれＶｃｃと抵抗４２、４３の接続点、および抵抗４２の両端に接続されている。
【００１６】
Ｖｃｃと抵抗４３と４４の接続点の間の抵抗値は、２つのアナログスイッチＩＣ４５、４６が両方オフ（ｄ＝ｅ＝０）の時には抵抗４１、４２、４３の合計値となり、発振周波数は最も低くなる。また、アナログスイッチＩＣ４６のみがオン（ｄ＝０、ｅ＝１）の時には抵抗４１、４３の合計値となり、周波数は中間、アナログスイッチＩＣ４５がオン（ｄ＝１）の時には抵抗４３の値となり、周波数は最も高くなる。出力端にはデューティー比５０％の矩形波およびその反転信号が出力される。
【００１７】
図７は、信号受信、制御回路２３の構成を示す回路図である。コネクタ２０の信号線端子に接続されたノイズ除去回路５０の出力信号は、汎用のラッチ回路付きシフトレジスタＩＣ（７４ＨＣ５９５）の信号入力端子（ＳＩ）、および２つのワンショットマルチバイブレータＩＣ５２、５３のトリガ端子に接続されている。
【００１８】
第１のワンショットマルチバイブレータＩＣ５２はＴ５＜出力パルス幅＜Ｔ６となるような出力パルス幅、例えば５００マイクロ秒の負のパルスを出力し、このパルスはシフトレジスタ５１のシフトクロック入力端子（ＳＣＫ）に入力される。シフトレジスタ５１は、ＳＣＫに入力されたパルスの立ち上がりで入力信号ＳＩを取り込み、データをシフトする。この結果、図２に示した情報がシフトレジスタ５１に受信／蓄積されていく。
【００１９】
第２のワンショットマルチバイブレータＩＣ５３はＴ２＜出力パルス幅＜Ｔ１となるような出力パルス幅、例えば９ミリ秒の負のパルスを出力し、このパルスはシフトレジスタ５１のラッチクロック入力端子（ＲＣＫ）に入力される。情報受信中はＲＣＫが０であるので、ラッチ回路の値が出力されているが、受信が終了してＲＣＫが１になると、シフトレジスタの値がラッチ回路に読み込まれ、かつ出力される。従って、情報が更新されていた場合にはこの時点でシフトレジスタ５１の出力が更新される。
【００２０】
なお、図７においてシフトレジスタ５１の右側に記載されている番号は、先頭の情報ビットを１とするシフトレジスタ５１の出力ビット番号である。本実施例においては、情報の各ビットは前記したように次の意味を持っている。即ち、ビット３、４は子機選択情報（１１がパッティング子機アドレス）、ビット５、６は強さ情報、ビット７、８は速さ情報である。
【００２１】
ＡＮＤゲート５５はパッティング子機アドレスであるビット３、４が１１を検出した場合にのみ１を出力する。すると、ＡＮＤゲート５６、ＮＯＴ５７を介して、信号ａにより図４のレギュレータＩＣ３１のリセット端子３９が０になり、動作可能となる。なお、パワーオンリセット回路５４から０のリセット信号が出力されている場合にも、レギュレータＩＣ３１がリセットされる。
【００２２】
ＡＮＤゲート５８、５９（ｂ、ｃ）は、図６のＮＯＴ４７の出力信号ｇが１の場合（突出方向の駆動時）にはビット５、６の値をそのままアナログスイッチ３６、３７へ出力する。従って、ソレノイドの突出方向の駆動時には、親機において指定した強さに対応した電圧でソレノイド１８が駆動される。
【００２３】
また、図６のＮＯＴ４７の出力ｇが０の場合（引っ込み方向の駆動時）にはＡＮＤゲート５８、５９（ｂ、ｃ）は共に０となる。従って、パッドが皮膚から後退する方向のソレノイドの駆動時には、必ず弱（ｂ＝ｃ＝０）に対応した電圧でソレノイド１８が駆動される。この機能によって、騒音や振動を減少させることができる。シフトレジスタ５１のビット７、８出力ｄ、ｅはアナログスイッチ４５、４６へ出力され、発振周波数が制御される。
【００２４】
図８は、本発明のパッティング子機１６の主要部の波形を示す説明図である。子機選択信号がオン（ａ＝０）の間、ソレノイド駆動回路２２にはソレノイド用電源回路２１から図示するような電源電圧（強さ＝中の場合）が供給され、速さ制御回路２４からは速さ制御信号と対応した周期２Ｔの矩形波が出力される。従って、ソレノイド駆動回路２２は図示するような波形でソレノイド１８を駆動する。
【００２５】
図９は、本発明のパッティング子機１６の構成を示す断面図である。パッティング子機１６は、コネクタ８２によって親機と接続されている。プリント基板１７には子機の各回路が搭載され、リード線８１を介してソレノイド１８を駆動する。ソレノイド１８の中心に配置されている軸は、ソレノイドの駆動電流の方向に従って、図示されている静止位置から前方へ突出、あるいは後方へ後退する。パッティングを行うパッド１９は前記軸に着脱機構８０によって着脱可能に装着されている。パッドの先端は円形の平面であり、パッドの周囲には、静止時にパッド１９の先端がわずかに突出する程度の高さにカバー８３が設けられている。
【００２６】
使用時には、このカバー８３の先端を皮膚に押し当てるようにして使用することにより、パッド１９が皮膚をたたく強さを一定に保つことが可能となる。大きさの異なる複数のパッドを適宜交換して使用できるように、先端部の円形部分の大きさの異なる複数のパッド１９が用意されている。この際、パッド１９と同時に子機本体と嵌合しているカバー８３も交換する。
【００２７】
以上、本発明の実施例を開示したが、本発明には下記のような変形例も考えられる。実施例においては、親機と子機に分かれている例を開示したが、親機と子機が一体となっている単機能のパッティング装置でもよく、この場合には制御信号の送受信回路等は不要である。
【００２８】
【発明の効果】
以上述べたように、本発明のパッティング装置は、上記のような構成によって、所望の強さおよび速さで容易に所望の部分のみを必要な時間だけパッティングすることが可能となる新規な機能を提供することができるという効果がある。
【図面の簡単な説明】
【図１】本発明のパッティング装置の構成を示すブロック図である。
【図２】信号線上の波形を示す波形図である。
【図３】本発明のパッティング子機１６の構成を示すブロック図である。
【図４】ソレノイド用電源回路２１の構成を示す回路図である。
【図５】ソレノイド駆動回路２２の構成を示す回路図である。
【図６】速さ制御回路２４の構成を示す回路図である。
【図７】信号受信、制御回路２３の構成を示す回路図である。
【図８】本発明のパッティング子機１６の主要部の波形を示す説明図である。
【図９】本発明のパッティング子機１６の構成を示す断面図である。
【符号の説明】
１０…親機、１１…制御回路、１２…パネル、１３…子機選択スイッチ、１４…発光ダイオード、１５…コード、１６…パッティング子機、１７…プリント基板、１８…ソレノイド（電磁石）、１９…パッド
【図１】
2005065718.tif 000003
【図２】
2005065718.tif 000004
【図３】
2005065718.tif 000005
【図４】
2005065718.tif 000006
【図５】
2005065718.tif 000007
【図６】
2005065718.tif 000008
【図７】
2005065718.tif 000009
【図８】
2005065718.tif 000010
【図９】
2005065718.tif 000011